(57)【要約】【課題】  複数台並べて配置される表示装置の中の特定の表示装置のみに遠隔操作を実行させることができる表示装置を提供する。【解決手段】  遠隔操作信号を受信する受信部１０ａと、他の表示装置と通信する通信部２０と、前記他の表示装置との通信により、前記受信部１０ａと前記他の表示装置の受信部とが同一の前記遠隔操作信号を受信したことを認識したとき、前記遠隔操作信号に基づく操作を実行するか、禁止するかを設定する制御部３０と、を備える。【選択図】  図３
2010217223.tif 000002
【特許請求の範囲】
【請求項１】
遠隔操作信号を受信する受信部と、
他の表示装置と通信する通信部と、
前記他の表示装置との通信により、前記受信部と前記他の表示装置の受信部とが同一の前記遠隔操作信号を受信したことを認識したとき、前記遠隔操作信号に基づく操作を実行するか、禁止するかを設定する制御部と、
を備えることを特徴とする表示装置。
【請求項２】
前記設定に基づいて表示部に表示する画像を制御する表示制御部を備えることを特徴とする請求項１記載の表示装置。
【請求項３】
前記制御部は、前記他の表示装置からの命令により前記設定を行うことを特徴とする請求項１または２に記載の表示装置。
【請求項４】
前記通信部によりサーバと通信し、前記制御部は、前記サーバからの命令により前記設定を行うことを特徴とする請求項１または２に記載の表示装置。
【請求項５】
前記制御部は、前記受信部による受信結果に基づいて前記遠隔操作信号に基づく操作を実行するか、禁止するかの判別を行うことを特徴とする請求項１〜請求項４の何れか一項に記載の表示装置。
【請求項６】
前記受信結果は、前記遠隔操作信号の光量及び受信時間の少なくとも一方を含むことを特徴とする請求項５記載の表示装置。
【請求項７】
前記制御部は、前記操作に関連する一連の操作を実行している間、前記他の表示装置に対する前記操作を禁止することを特徴とする請求項１〜請求項６の何れか一項に記載の表示装置。
【請求項８】
前記操作を実行するか、禁止するかを切り換える切換部を備えることを特徴とする請求項１〜請求項７の何れか一項に記載の表示装置。
【請求項９】
前記表示制御部は、前記操作が禁止されたとき、前記表示部への画像の非表示、または所定画像の表示を行うことを特徴とする請求項２〜請求項８の何れか一項に記載の表示装置。
【請求項１０】
前記制御部は、前記通信部による通信結果に基づいて前記受信部の感度を調整することを特徴とする請求項１〜請求項９の何れか一項に記載の表示装置。
【請求項１１】
前記通信結果は、前記他の表示装置の受信部が所定時間内に前記受信部と同一の前記遠隔操作信号を受信した情報、または前記他の表示装置の数に関する情報を含むことを特徴とする請求項１０記載の表示装置。
【請求項１２】
請求項１〜請求項１１の何れか一項に記載の表示装置を備えることを特徴とするデジタルフォトフレーム。
【請求項１３】
第１表示装置と、
少なくとも１台の他の表示装置と、
前記第１表示装置に対する遠隔操作信号を受信する第１受信部と、
前記他の表示装置に対する遠隔操作信号を受信する第２受信部と、
前記第１表示装置と前記他の表示装置との間で通信する通信部と、
前記通信部における通信により、前記第１受信部と前記第２受信部とが同一の前記遠隔操作信号を受信したことを認識したとき、前記第１表示装置または前記他の表示装置において前記遠隔操作信号に基づく操作を実行させるよう制御する制御部と、
を備えることを特徴とする表示システム。
【請求項１４】
前記制御部は、前記第１表示装置に設けられ、前記第１表示装置において前記操作を実行または禁止するよう制御する第１制御部と、
前記他の表示装置に設けられ、前記他の表示装置において前記操作を実行または禁止するよう制御する第２制御部と、
を備えることを特徴とする請求項１３記載の表示システム。
【請求項１５】
前記制御部は、前記第１表示装置に設けられ、前記第１表示装置において前記操作を実行または禁止するよう制御し、前記他の表示装置において前記操作を実行または禁止する命令を前記他の表示装置に対して前記通信部を介して送信することを特徴とする請求項１３記載の表示システム。
【請求項１６】
第１表示装置及び他の表示装置は、サーバと通信し、
前記制御部は、前記サーバに設けられ、前記第１表示装置及び前記他の表示装置に対して前記操作を実行または禁止する命令を前記通信部を介して送信することを特徴とする請求項１３記載の表示システム。
【発明の詳細な説明】
【技術分野】
【０００１】
本発明は、表示装置、デジタルフォトフレーム及び表示システムに関するものである。
【背景技術】
【０００２】
観賞用画像を電気的に表示するデジタルフォトフレーム等の表示装置が知られている（例えば、特許文献１参照）。
【先行技術文献】
【特許文献】
【０００３】
【特許文献１】特開２００８−２０３８４６号公報
【発明の概要】
【発明が解決しようとする課題】
【０００４】
ところで、デジタルフォトフレーム等の表示装置を複数台並べて配置した場合において、リモコン等により遠隔操作信号を特定の表示装置に対して送信したとき、特定の表示装置に隣接して配置されている表示装置等もその遠隔操作信号を受信する場合があり、特定の表示装置に対してのみ遠隔操作を実行するのが困難な場合があった。
【０００５】
本発明の目的は、複数台並べて配置される表示装置の中の特定の表示装置のみに遠隔操作を実行させることができる表示装置、デジタルフォトフレーム及び表示システムを提供することである。
【課題を解決するための手段】
【０００６】
本発明の表示装置は、遠隔操作信号を受信する受信部と、他の表示装置と通信する通信部と、前記他の表示装置との通信により、前記受信部と前記他の表示装置の受信部とが同一の前記遠隔操作信号を受信したことを認識したとき、前記遠隔操作信号に基づく操作を実行するか、禁止するかを設定する制御部と、を備えることを特徴とする。
【０００７】
また、本発明のデジタルフォトフレームは、本発明の表示装置を備えることを特徴とする。
【０００８】
また、本発明の表示システムは、第１表示装置と、少なくとも１台の他の表示装置と、前記第１表示装置に対する遠隔操作信号を受信する第１受信部と、前記他の表示装置に対する遠隔操作信号を受信する第２受信部と、前記第１表示装置と前記他の表示装置との間で通信する通信部と、前記通信部における通信により、前記第１受信部と前記第２受信部とが同一の前記遠隔操作信号を受信したことを認識したとき、前記第１表示装置または前記他の表示装置において前記遠隔操作信号に基づく操作を実行させるよう制御する制御部と、を備えることを特徴とする。
【発明の効果】
【０００９】
本発明の表示装置、デジタルフォトフレーム及び表示システムによれば、複数台並べて配置される表示装置の中の特定の表示装置のみに遠隔操作を実行させることができる。
【図面の簡単な説明】
【００１０】
【図１】第１の実施の形態に係る表示システムの構成を示す図である。
【図２】第１の実施の形態に係る表示システムを構成するデジタルフォトフレームの構成を示す図である。
【図３】第１の実施の形態に係る表示システムを構成するデジタルフォトフレームのシステム構成を示すブロック図である。
【図４】第１の実施の形態に係る表示システムにおいて操作用リモコンからの遠隔操作信号に基づく操作を行う際の処理について説明するためのフローチャートである。
【図５】第１の実施の形態に係る表示システムに対して操作用リモコンを用いて遠隔操作を行う際の状況を示す図である。
【図６】各ＤＰＦのＬＤＣパネルに表示される画像を示す図である。
【図７】一連の操作が終了した後に各ＤＰＦのＬＣＤパネルに表示される画像を示す図である。
【図８】切換操作が行われた後に各ＤＰＦのＬＣＤパネルに表示される画像を示す図である。
【図９】第２の実施の形態に係る表示システムにおいて操作用リモコンからの遠隔操作信号を受信した際の処理について説明するためのフローチャートである。
【図１０】各ＤＰＦの信号受信部の受光感度を示す図である。
【図１１】受光感度の調整が行われた後の各ＤＰＦの信号受信部の受光感度を示す図である。
【図１２】第３の実施の形態に係る表示システムにおいて信号受信部の受光感度を調整する際の第１ＤＰＦの制御部が行う処理について説明するためのフローチャートである。
【発明を実施するための形態】
【００１１】
以下、図面を参照して、本発明の第１の実施の形態に係る表示システムについて説明する。この実施の形態に係る表示システムは、図１に示すように、表示装置としての第１デジタルフォトフレーム（以下、第１ＤＰＦという。）２ａ，第２デジタルフォトフレーム（以下、第２ＤＰＦという。）２ｂ，第３デジタルフォトフレーム（以下、第３ＤＰＦという。）２ｃを備えている。なお、この実施の形態では、３台のデジタルフォトフレーム（以下、ＤＰＦという。）を備えているが、２台または４台以上のＤＰＦを備えてもよい。また、一般に、ＤＰＦとしては机等の上に立て掛けて設置するものや、壁に掛けて設置するもの等が存在するが、本発明の実施の形態としては、机等に立て掛けて設置するもの（電子写真立て）を例に挙げて説明する。
【００１２】
次に、第１ＤＰＦ２ａの構成について説明する。なお、第２ＤＰＦ２ｂ及び第３ＤＰＦ２ｃの構成は、第１ＤＰＦ２ａの構成と同一である。図２は、第１ＤＰＦ２ａの外観を示す斜視図である。図２に示すように、第１ＤＰＦ２ａの前面には、観賞用画像や時刻等の情報を電気的に表示する表示部としてのＬＣＤパネル６ａ、音楽や音声が出力されるスピーカ８ａ、及び操作用リモコン４０（図５参照）から出力される赤外線等の遠隔操作信号を受信する信号受信部１０ａが設けられている。また、第１ＤＰＦ２ａの上面には、第１ＤＰＦ２ａの電源のオン／オフを行う電源スイッチ１２及び第１ＤＰＦ２ａの機能設定やＬＣＤパネル６ａの表示設定の際に使用する操作キー１４が設けられている。また、第１ＤＰＦ２ａの一方の側面には、画像や音楽等のデータが記憶されたメモリカードが挿入されるメモリカードスロット１６、ＵＳＢ機器が接続されるＵＳＢポート１８、第２ＤＰＦ２ｂ及び第３ＤＰＦ２ｃとネットワーク接続するために用いられるネットワーク端子２０が設けられている。
【００１３】
図３は、第１ＤＰＦ２ａのシステム構成を示すブロック図である。第１ＤＰＦ２ａの各部を統括的に制御するＣＰＵ（制御部）３０には、上述の信号受信部１０ａ、電源スイッチ１２、操作キー１４、メモリカードスロット１６、ＵＳＢポート１８及びネットワーク端子２０が接続されている。また、ＣＰＵ３０には、第１ＤＰＦ２ａの機能の設定、画像や音楽等のデータが記憶される内部メモリ３２が接続されている。また、ＣＰＵ３０には、ＬＣＤパネル６ａに表示される画像や設定画面等の表示制御を行う表示制御部３４、スピーカ８ａから出力される音楽や音声の再生制御を行う再生制御部３６が接続されている。
【００１４】
次に、図４のフローチャートを参照して、第１の実施の形態に係る表示システムにおいて操作用リモコン４０（図５参照）からの遠隔操作信号に基づく操作を行う際の処理について説明する。なお、この実施の形態では、第１ＤＰＦ２ａは親機として、第２ＤＰＦ２ｂ、第３ＤＰＦ２ｃは子機として機能し、第１ＤＰＦ２ａ、第２ＤＰＦ２ｂ及び第３ＤＰＦ２ｃは、例えばネットワーク端子等を介してネットワーク接続されており、互いに通信可能に設定されている。
【００１５】
まず、図５に示すように、ユーザーにより操作用リモコン４０に設けられているＭＥＮＵボタン（図示せず）が押下されると、第１ＤＰＦ２ａの信号受信部１０ａは、操作用リモコン４０から出力された遠隔操作信号を受信し、第１ＤＰＦ２ａの制御部３０は、信号受信部１０ａから遠隔操作信号を取得する（ステップＳ１０）。同様に、第２ＤＰＦ２ｂの信号受信部１０ｂは、操作用リモコン４０から出力された遠隔操作信号を受信し、第２ＤＰＦ２ｂの制御部は、信号受信部１０ｂから遠隔操作信号を取得する（ステップＳ２４）。なお、この実施の形態では、操作用リモコン４０から出力された遠隔操作信号は、第３ＤＰＦ２ｃの信号受信部１０ｃの受信可能な範囲外から出力されているため、信号受信部１０ｃは、操作用リモコン４０から出力された遠隔操作信号を受信しないものとする。
【００１６】
次に、第２ＤＰＦ２ｂの制御部は、ネットワークを介して、ステップＳ２４において信号受信部１０ｂが操作用リモコン４０から出力された遠隔操作信号を受信したことを、第１ＤＰＦ２ａに対して通知し（ステップＳ２５）、第１ＤＰＦ２ａの制御部３０は、第２ＤＰＦ２ｂからの通知を取得する（ステップＳ１１）。
【００１７】
次に、第１ＤＰＦ２ａの制御部３０は、ＭＥＮＵボタンを押下することにより操作用リモコン４０から出力される遠隔操作信号を、信号受信部１０ａ及び信号受信部１０ｂが一定時間以内に受信しているか否かを判別する（ステップＳ１２）。即ち、第１ＤＰＦ２ａの信号受信部１０ａが受信した遠隔操作信号と、第２ＤＰＦ２ｂの信号受信部１０ｂが受信した遠隔操作信号とが、１回のリモコン４０の操作によるものであるか否か（ユーザーがＭＥＮＵボタンを２回以上押下していないか否か）を判別する。よって、一定時間として、ユーザーがＭＥＮＵボタン等を２回押下するのに要する時間より短い時間（例えば５００ｍｓｅｃ）を設定する。
【００１８】
ステップＳ１２において、信号受信部１０ａ及び信号受信部１０ｂが遠隔操作信号を一定時間以内に受信していないと判別された場合には（ステップＳ１２、Ｎｏ）、第１ＤＰＦ２ａの制御部３０及び第２ＤＰＦ２ｂの制御部は、それぞれ受信した遠隔操作信号に基づく操作を実行する。一方、ステップＳ１２において、信号受信部１０ａ及び信号受信部１０ｂが遠隔操作信号を一定時間以内に受信したと判別された場合には（ステップＳ１２、Ｙｅｓ）、第１ＤＰＦ２ａの制御部３０は、信号受信部１０ａにより受信した遠隔操作信号の光量と、信号受信部１０ｂにより受信した遠隔操作信号の光量とを比較する（ステップＳ１３）。信号受信部１０ｂにより受信した遠隔操作信号の光量は、ステップＳ２５における通知の際に第２ＤＰＦ２ｂの制御部が付加情報として第１ＤＰＦ２ａに対して送信してもよく、比較する際に第１ＤＰＦ２ｂの制御部３０が第２ＤＰＦ２ｂから取得してもよい。
【００１９】
信号受信部１０ａ及び１０ｂが受信する遠隔操作信号の光量は、遠隔操作信号が送信される場所や発信される方向等により異なる。例えば、信号受信部１０ａより信号受信部１０ｂに近い位置から、または信号受信部１０ａより信号受信部１０ｂに遠隔操作信号が向かう方向から、ユーザーがＭＥＮＵボタンを押下した場合には、信号受信部１０ｂにより受信した遠隔操作信号の光量は、信号受信部１０ａにより受信した遠隔操作信号の光量より大きくなる。なお、この実施の形態では、信号受信部１０ｂにより受信した遠隔操作信号の光量は、信号受信部１０ａにより受信した遠隔操作信号の光量より大きいものとする。
【００２０】
次に、第１ＤＰＦ２ａの制御部３０は、ステップＳ１３において信号受信部１０ａにより受信した遠隔操作信号の光量が信号受信部１０ｂにより受信した遠隔操作信号の光量より小さいと判別し、第２ＤＰＦ２ｂに対して、ＬＣＤパネル６ｂへのＭＥＮＵ画面の表示を通知する（ステップＳ１４）。そして、図６に示すように、ＬＣＤパネル６ａにグレー画像を表示させる（ステップＳ１５）。
【００２１】
第２ＤＰＦ２ｂの制御部は、ステップＳ１４における第１ＤＰＦ２ａからの通知に基づいて、図６に示すように、ＬＣＤパネル６ｂにＭＥＮＵ画面を表示させる（ステップＳ２６）。
【００２２】
一方、第１ＤＰＦ２ａの制御部３０は、第３ＤＰＦ２ｃに対して、ＬＣＤパネル６ｃへのグレー画像の表示を通知し（ステップＳ１６）、第３ＤＰＦ２ｃの制御部は、ステップＳ１６における第１ＤＰＦ２ａからの通知に基づいて、図６に示すように、ＬＣＤパネル６ｂにグレー画像を表示させる（ステップＳ３１）。なお、ＬＣＤパネル６ａ，６ｃにグレー画像以外の黒画像等を表示させてもよい。
【００２３】
次に、第１ＤＰＦ２ａの制御部３０は、操作用リモコン４０から出力され、信号受信部１０ａにより受信した遠隔操作信号を取得し（ステップＳ１７）、同様に、第２ＤＰＦ２ｂの制御部は、操作用リモコン４０から出力され、信号受信部１０ｂにより受信した遠隔操作信号を取得する（ステップＳ２７）。そして、ステップＳ２５の処理と同様に、第２ＤＰＦ２ｂの制御部は、第１ＤＰＦ２ａに対して、ステップＳ２７において取得した遠隔操作信号を通知し（ステップＳ２８）、第１ＤＰＦ２ａの制御部３０は、第２ＤＰＦ２ｂからの通知を受信する（ステップＳ１８）。
【００２４】
次に、第１ＤＰＦ２ａの制御部３０は、ステップＳ１２の処理と同様の処理を行うことにより、信号受信部１０ａと１０ｂとが受信した遠隔操作信号が、１回のリモコン４０の操作によるものであるか否かを判別する。そして、信号受信部１０ａと１０ｂとが遠隔操作信号を一定時間以内に受信していると判別された場合には、第１ＤＰＦ２ａの制御部３０は、受信した遠隔操作信号に基づく操作を実行し（ステップＳ１９）、第２ＤＰＦ２ｂ及び第３ＤＰＦ２ｃに対して、受信した遠隔操作信号に基づく操作内容を通知する（ステップＳ２０）。
【００２５】
第２ＤＰＦ２ｂ及び第３ＤＰＦ２ｃは、ステップＳ２０における第１ＤＰＦ２ａから通知された操作内容に従った操作を実行する（ステップＳ２９，Ｓ３２）。
【００２６】
次に、第１ＤＰＦ２ａの制御部３０は、全部の操作、即ちユーザーによる操作用リモコン４０からの遠隔操作に関連する一連の操作（各種設定（この実施の形態では輝度設定）等を行うための一連の操作）が終了したか否かの判別を行う（ステップＳ２１）。全部の操作が終了していないと判別された場合には（ステップＳ２１、Ｎｏ）、第１ＤＰＦ２ａの制御部３０は、ステップＳ１７〜Ｓ２１の処理を、第２ＤＰＦ２ｂの制御部は、ステップＳ２７〜Ｓ２９の処理を、第３ＤＰＦ２ｃの制御部は、ステップＳ３２の処理を繰り返す。
【００２７】
一方、全部の操作が終了したと判別された場合、例えば、図７に示すように、ＬＣＤパネル６ｂに輝度設定の終了を示す画面が表示され、ユーザーにより操作用リモコン４０を介して輝度設定の終了を示すボタンが押下された場合には（ステップＳ２１、Ｙｅｓ）第１ＤＰＦ２ａの制御部３０は、ＬＣＤパネル６ａに、通常の画面（例えば、ステップＳ１０において遠隔操作信号を受信する前に表示されていた画面）を表示させる（ステップＳ２２）。
【００２８】
次に、第１ＤＰＦ２ａの制御部３０は、第２ＤＰＦ２ｂ及び第３ＤＰＦ２ｃに対して、ＬＣＤパネル６ｂ及び６ｃへの通常の画面の表示を通知し（ステップＳ２３）、第２ＤＰＦ２ｂ及び第３ＤＰＦ２ｃの制御部は、ステップＳ２３における第１ＤＰＦ２ａからの通知に基づいて、ＬＣＤパネル６ｂ及び６ｃに通常の画面を表示させる（ステップＳ３０、Ｓ３３）。
【００２９】
第１の実施の形態に係る表示システムによれば、複数台並べてＤＰＦが配置され、同一の遠隔操作信号を受信するＤＰＦ及び受信しないＤＰＦが生じた場合においても、親機として機能するＤＰＦが子機として機能する他のＤＰＦの操作内容や表示内容を制御することができるため、操作用リモコンによる遠隔操作に基づく操作を全部のＤＰＦに実行させることができる。
【００３０】
なお、第１の実施の形態においては、操作用リモコンによる遠隔操作に基づく操作を全部のＤＰＦに実行させているが、選択されたＤＰＦ（この実施の形態では第２ＤＰＦ２ｂ）のみに操作を実行させることもできる。この場合には、親機として機能する第１ＤＰＦ２ａは、選択されていないＤＰＦ（この実施の形態では第１ＤＰＦ２ａ及び第３ＤＰＦ２ｃ）に操作を禁止させる設定を行う。例えば、選択されていないＤＰＦの信号受信部が遠隔操作信号を受信できないように一時的に設定してもよく、または信号受信部が受信した遠隔操作信号を無視するように一時的に設定してもよい。この場合には、特定のＤＰＦ（選択されたＤＰＦ）のみに操作用リモコンによる遠隔操作を実行させることができる。
【００３１】
また、第１の実施の形態においては、遠隔操作信号の光量の大きさを比較することにより第２ＤＰＦ２ｂを選択しているが、遠隔操作信号を受信した時間を比較することにより何れかのＤＰＦを選択することもできる。具体的には、遠隔操作信号を受信した時間がもっとも早いＤＰＦを選択する。また、遠隔操作信号の光量の大きさ及び遠隔操作信号を受信した時間の早さを比較することにより何れかのＤＰＦを選択することもできる。即ち、まず遠隔操作信号の光量の大きさを比較し、光量が同じだったとき、遠隔操作信号を受信した時間の早さを比較し、受信した時間が早いＤＰＦを選択する。または、まず遠隔操作信号を受信した時間の早さを比較し、同一の時間に受信しているとき、遠隔操作信号の光量の大きさを比較し、受信した光量の大きいＤＰＦを選択する。
【００３２】
また、第１の実施の形態においては、遠隔操作信号の光量の大きさを比較することにより第２ＤＰＦ２ｂを選択しているが、操作用リモコン４０に切換ボタンを設け、ユーザーが切換ボタンを押下することにより、選択されるＤＰＦを切り換えることができる。例えば、第１ＤＰＦ２ａ及び第２ＤＰＦ２ｂが遠隔操作信号を受信し、図６に示すように、第２ＤＰＦ２ｂが選択された場合には、ユーザーが切換ボタンを押下することにより、図８に示すように、第１ＤＰＦ２ａが選択される。切換ボタンを押下する毎に選択されるＤＰＦの切換えが行われ、切換り方としては、遠隔操作信号を受信したＤＰＦ間（第１ＤＰＦ２ａと第２ＤＰＦ２ｂとの間）、または全部のＤＰＦ間（第１ＤＰＦ２ａ，第２ＤＰＦ２ｂ及び第３ＤＰＦ２ｃ間）で切換えが行われる。また、全部のＤＰＦ間で切換えが行われるが、遠隔操作信号を受信したＤＰＦから切換えが行われるように設定してもよい。
【００３３】
また、個々のＤＰＦに対応する切換ボタン（第１の実施の形態では各ＤＰＦ２ａ〜２ｃに対応する３個の切換ボタン）を設け、対応する切換ボタンが押下されたＤＰＦが選択されるようにしてもよい。
【００３４】
また、ＣＰＵ３０が、表示制御部３４と再生制御部３６の機能を行ってもよい。
【００３５】
次に、図面を参照して、本発明の第２の実施の形態に係る表示システムについて説明する。なお、第２の実施の形態に係る表示システムにおいては、第１の実施の形態に係る表示システムの構成と同一の構成を有しているため、その説明を省略し、同一の構成には同一の符号を用いて説明を行う。
【００３６】
図９は、第２の実施の形態に係る表示システムにおいて操作用リモコン４０からの遠隔操作信号を受信した際の処理について説明するためのフローチャートである。なお、この実施の形態では、第１ＤＰＦ２ａ、第２ＤＰＦ２ｂ及び第３ＤＰＦ２ｃは、例えばネットワーク端子等を介してネットワーク接続されており、互いに通信可能に設定されている。また、操作用リモコン４０のユーザーは、第２ＤＰＦ２ｂに対して操作用リモコン４０を用いて遠隔操作を行うことを所望しているものとして説明を行う。
【００３７】
まず、図１０に示すように、第１ＤＰＦ２ａ、第２ＤＰＦ２ｂ及び第３ＤＰＦ２ｃの信号受信部１０ａ〜１０ｃの受光感度ｓ１，ｓ２，ｓ３が設定されている場合において（ｓ１，ｓ２，ｓ３の面積が受光感度の強さを表し、図１０ではｓ１，ｓ２，ｓ３の受光感度の強さは同一になっている）、ユーザーにより操作用リモコン４０に設けられているＭＥＮＵボタンが押下されたものとする。なお、第１ＤＰＦ２ａの制御部３０によるステップＳ４０〜Ｓ４２の処理は、図４のフローチャートに示すステップＳ１０〜Ｓ１２の処理と同一のため、説明を省略する。また、第２ＤＰＦ２ｂの制御部によるステップＳ５０及びＳ５１の処理は、図４のフローチャートに示すステップＳ２４及びＳ２５の処理と同一のため、説明を省略する。
【００３８】
次に、ステップＳ４２において、信号受信部１０ａ及び信号受信部１０ｂが遠隔操作信号を一定時間以内に受信したと判別された場合には（ステップＳ４２、Ｙｅｓ）、第１ＤＰＦ２ａの制御部３０は、信号受信部１０ａの受光感度の調整を行う（ステップＳ４３）。具体的には、信号受信部１０ａ及び１０ｂが同一の遠隔操作信号を受信するのを防止するために、図１１に示すように、信号受信部１０ａの受光感度ｓ１を受光感度ｓ１´に、受光感度を低くする調整を行う。
【００３９】
次に、第１ＤＰＦ２ａの制御部３０は、第２ＤＰＦ２ｂに対して、信号受信部１０ｂの受光感度の調整を指示する通知を送信する（ステップＳ４４）。第２ＤＰＦ２ｂの制御部は、ステップＳ４４における第１ＤＰＦ２ａからの通知に基づいて、信号受信部１０ｂの受光感度の調整を行う（ステップＳ５２）。具体的には、図１１に示すように、信号受信部１０ｂの受光感度ｓ２を受光感度ｓ２´に、受光感度を低くする調整を行う。
【００４０】
信号受信部１０ａ及び１０ｂの受光感度を低くすることにより、次にユーザーが操作用リモコン４０に設けられているＭＥＮＵボタンを押下したとき、信号受信部１０ａ及び１０ｂの何れか一方が遠隔操作信号を受信する確率が高くなる。また、信号受信部１０ａ及び１０ｂの両方が遠隔操作信号に受信しない場合には、ユーザーに対し、より信号受信部１０ｂに近い位置から遠隔操作する必要性があることを知らせることができる。
【００４１】
また、各ＤＰＦ２ａ〜２ｃが載置されている位置を特定できない場合等、受光感度を段階的に低くするよう設定することもできる。例えば、信号受信部１０ａ及び１０ｂが同一の遠隔操作信号を受信したとき、信号受信部１０ａ及び１０ｂの受光感度を少し低くする。次にユーザーがＭＥＮＵボタンを押下し、また信号受信部１０ａ及び１０ｂが同一の遠隔操作信号を受信したとき、信号受信部１０ａ及び１０ｂの受光感度を更に低くする。一方、次にユーザーがＭＥＮＵボタンを押下し、信号受信部１０ａ及び１０ｂの何れか一方が遠隔操作信号を受信したとき、信号受信部１０ａ及び１０ｂの受光感度は適切に調整されたものと判断する。受光感度を段階的に調整することにより、複数のＤＰＦが同一の遠隔操作信号を受信することを防止することができ、かつ高い受光感度を維持することができる。
【００４２】
ステップＳ４３及びＳ５２において調整された受光感度ｓ１´及びｓ２´を、一定期間後（例えば１日経過後）、受光感度ｓ１及びｓ２に戻すよう設定することもできる。また、各ＤＰＦ２ａ〜２ｃに加速度センサ、または机等に載置されているときには押下され埋没し、机等から持ち上げられたときには突出するピンスイッチ等の移動検出装置を設け、移動検出装置により第１ＤＰＦ２ａ及び第２ＤＰＦ２ｂの少なくとも１つが移動させられたことを検出したとき、受光感度ｓ１及びｓ２に戻すよう設定することもできる。また、ユーザー操作により受光感度ｓ１及びｓ２に戻すよう設定することもできる。
【００４３】
第２の実施の形態に係る表示システムによれば、複数のＤＰＦの信号受信部が同一の遠隔操作信号を受信したとき、信号受信部の受光感度を調整することができる。したがって、次に遠隔操作がなされたとき、ユーザーが遠隔操作を所望するＤＰＦ以外のＤＰＦが同一の遠隔操作信号を受信することを抑制することができ、所望のＤＰＦのみに操作用リモコンによる遠隔操作を実行させることができる。
【００４４】
次に、図面を参照して、本発明の第３の実施の形態に係る表示システムについて説明する。なお、第３の実施の形態に係る表示システムにおいては、第１の実施の形態に係る表示システムの構成と同一の構成を有しているため、その説明を省略し、同一の構成には同一の符号を用いて説明を行う。
【００４５】
図１２は、第３の実施の形態に係る表示システムにおいて信号受信部１０ａの受光感度を調整する際の第１ＤＰＦ２ａの制御部３０が行う処理について説明するためのフローチャートである。なお、信号受信部１０ａの受光感度の調整は、ユーザーによる調整指示に従い行うようにしてもよく、定期的（週一回や月一回等）に自動的に行うようにしてもよい。また、第２ＤＰＦ２ｂ及び第３ＤＰＦ２ｃの制御部も、第１ＤＰＦ２ａの制御部３０と同様の処理を行う。
【００４６】
まず、図１２に示すように、第１ＤＰＦ２ａの制御部３０は、ネットワークを介して照会信号を送信する（ステップＳ６０）。照会信号は、例えばネットワーク端子２０等を介して第１ＤＰＦ２ａに他のＤＰＦがネットワーク接続されているか否かを確認するために発信される信号である。例えば、第１ＤＰＦ２ａ、第２ＤＰＦ２ｂ及び第３ＤＰＦ２ｃがネットワーク接続されている場合には、第２ＤＰＦ２ｂ及び第３ＤＰＦ２ｃは、第１ＤＰＦ２ａに対して応答信号を送信する。
【００４７】
次に、制御部３０は、他のＤＰＦからの応答信号を受信したか否かを判別する（ステップＳ６１）。第１ＤＰＦ２ａ、第２ＤＰＦ２ｂ及び第３ＤＰＦ２ｃがネットワーク接続されている場合には、制御部３０は、第２ＤＰＦ２ｂ及び第３ＤＰＦ２ｃからの応答信号を受信する。ステップＳ６１において他のＤＰＦからの応答信号を受信した場合には（ステップＳ６１、Ｙｅｓ）、制御部３０は、受信した応答信号数を算出する（ステップＳ６２）。第２ＤＰＦ２ｂ及び第３ＤＰＦ２ｃからの応答信号を受信した場合には、受信した応答信号数は２と算出される。
【００４８】
次に、制御部３０は、ステップＳ６２において算出した応答信号数に基づいて、信号受信部１０ａの受光感度を調整する（ステップＳ６３）。信号受信部１０ａの受光感度は、最も受光感度が高い「高」、最も受光感度が低い「低」、「高」より低く「低」より高い「中」に設定可能に構成されている。したがって、応答信号数が多い場合には、多数のＤＰＦとネットワーク接続されており、多数のＤＰＦが限られたスペース内に隙間なく並べて配置されていると予想されることから、複数のＤＰＦが同一の遠隔操作信号を受信するのを防止するために、制御部３０は信号受信部１０ａの受光感度を「低」に設定する調整を行う。一方、応答信号数が少ない場合には、少数のＤＰＦとネットワーク接続されており、少数のＤＰＦが限られたスペース内に間隔を取って並べて配置されていると予想されることから、複数のＤＰＦが同一の遠隔操作信号を受信するのを防止し、かつ高い受光感度を維持するために、制御部３０は信号受信部１０ａの受光感度を「中」に設定する調整を行う。
【００４９】
一方、ステップＳ６１において他のＤＰＦからの応答信号を受信しなかった場合には（ステップＳ６１、Ｎｏ）、制御部３０は、第１ＤＰＦ２ａに他のＤＰＦがネットワーク接続されていないと判断し、他のＤＰＦが同一の遠隔操作信号を受信することがないため、信号受信部１０ａの受光感度を「高」に設定する調整を行う（ステップＳ６３）。
【００５０】
制御部３０は、信号受信部１０ａの受光感度の調整後、第２ＤＰＦ２ｂ及び第３ＤＰＦ２ｃに対して、信号受信部１０ｂ及び１０ｃの受光感度の調整を指示する通知を送信し、第２ＤＰＦ２ｂ及び第３ＤＰＦ２ｃの制御部は、制御部３０から送信された通知に基づいて、信号受信部１０ｂ及び１０ｃの受光感度の調整を行う。
【００５１】
ステップＳ６３において調整された受光感度は、第２の実施の形態と同様に、一定期間経過後、移動検出装置によりＤＰＦの移動が検出されたとき、またはユーザー操作により、調整前の値に戻すことができる。
【００５２】
第３の実施の形態に係る表示システムによれば、ネットワーク接続されている他のＤＰＦの数を定期的に算出し、算出結果に基づいて信号受信部の受光感度を調整することができる。したがって、ユーザーが遠隔操作を所望するＤＰＦ以外のＤＰＦが同一の遠隔操作信号を受信することを抑制することができ、所望のＤＰＦのみに操作用リモコンによる遠隔操作を実行させることができる。
【００５３】
なお、上述の各実施の形態に係る表示システムにおいては、親機として機能する第１ＤＰＦ２ａの制御部３０が遠隔操作信号の光量の比較、全部のＤＰＦの操作及び表示の制御、受光感度の調整等を行っているが、第１ＤＰＦ２ａ、第２ＤＰＦ２ｂ及び第３ＤＰＦ２ｃに接続されるサーバを設け、サーバが遠隔操作信号の光量の比較、第１ＤＰＦ２ａ、第２ＤＰＦ２ｂ及び第３ＤＰＦ２ｃの操作及び表示の制御を行うようにしてもよい。この場合には、第１ＤＰＦ２ａ、第２ＤＰＦ２ｂ及び第３ＤＰＦ２ｃは、サーバに対して、受信した遠隔操作信号を通知する。サーバは、各ＤＰＦから取得した遠隔操作信号の光量を比較し、比較結果に基づいて各ＤＰＦの操作の実行を指示する制御信号、及び各信号受信部の受光感度の調整を指示する信号を、各ＤＰＦに対して出力する。第１ＤＰＦ２ａ、第２ＤＰＦ２ｂ及び第３ＤＰＦ２ｃは、サーバからの制御信号に従った処理を行う。さらに、サーバが、信号受信部１０ａ〜１０ｃの受光感度の調整等を行うようにしてもよい。
【００５４】
なお、上述した各実施の形態では、１台のＤＰＦだけを選択して操作用リモコンで操作しているが、同時に２台もしくはそれ以上のＤＰＦを操作するようにしてもよい。
【００５５】
また、上述の各実施の形態においては、複数のＤＰＦを並べて配置した表示システムを例に挙げて説明したが、ＤＰＦ以外の表示装置を並べて配置した表示システムについても本発明を適用することができる。
【産業上の利用可能性】
【００５６】
並べて配置された複数の表示装置を備えた表示システムとして産業上利用可能である。
【符号の説明】
【００５７】
２ａ〜２ｃ…デジタルフォトフレーム（ＤＰＦ）、６ａ〜６ｃ…ＬＣＤパネル、８ａ〜８ｃ…スピーカ、１０ａ〜１０ｃ…信号受信部、１２…電源スイッチ、１４…操作キー、１６…メモリカードスロット、１８…ＵＳＢポート、２０…ネットワーク端子、３０…制御部、３２…内部メモリ、３４…表示制御部、３６…再生制御部、４０…操作用リモコン。
【図１】
2010217223.tif 000003
【図２】
2010217223.tif 000004
【図３】
2010217223.tif 000005
【図４】
2010217223.tif 000006
【図５】
2010217223.tif 000007
【図６】
2010217223.tif 000008
【図７】
2010217223.tif 000009
【図８】
2010217223.tif 000010
【図９】
2010217223.tif 000011
【図１０】
2010217223.tif 000012
【図１１】
2010217223.tif 000013
【図１２】
2010217223.tif 000014